(57)【要約】      （修正有）【課題】代理店の負荷を軽減できるサッシの製造方法を提供する。【解決手段】代理店１は、所望のガラスが組み込まれた障子の完成品商品コード５をメーカー２のシステム１７に送信する。メーカー２のシステム１７は、代理店１より受信した完成品商品コード５をガラスの商品コード６と障子部品セットの商品コード７に展開し、ガラスの商品コード６と障子部品セットの商品コード７及び障子の組立指示書１０を協力工場３に送信すると共に、障子部品セット９を手配して協力工場に送る。メーカー２のシステム１７又は協力工場３は、ガラスの商品コード６に基づいてガラスメーカー４にガラス８を発注する。協力工場３は、組立指示書１０に基づいてメーカー２から納入された障子部品セット９とガラスメーカー４から納入されたガラス８とで障子１１を組立て、組立てた障子１１を指定場所に発送する。【選択図】図１
2020102078.tif 000002
【特許請求の範囲】
【請求項１】
次の工程を有することを特徴とするサッシの製造方法。
（１）代理店は、所望のガラスが組み込まれた障子の完成品商品コードをメーカーのシステムに送信する。
（２）メーカーのシステムは、代理店より受信した完成品商品コードをガラスの商品コードと障子部品セットの商品コードに展開し、ガラスの商品コードと障子部品セットの商品コード及び障子の組立指示書を協力工場に送信すると共に、障子部品セットを手配して協力工場に送る。
（３）メーカーのシステム又は協力工場は、ガラスの商品コードに基づいてガラスメーカーにガラスを発注する。
（４）協力工場は、組立指示書に基づいてメーカーから納入された障子部品セットとガラスメーカーから納入されたガラスとで障子を組立て、組立てた障子を指定場所に発送する。
【請求項２】
次の工程を有することを特徴とするサッシの製造方法。
（１）代理店は、ガラスが組み込まれた障子を枠に納めたサッシのサッシ完成品商品コードをメーカーのシステムに送信する。
（２）メーカーのシステムは、代理店より受信したサッシ完成品商品コードをガラスの商品コードと枠・障子部品セットの商品コードに展開し、ガラスの商品コードと枠・障子部品セットの商品コード及びサッシの組立指示書を協力工場に送信すると共に、枠・障子部品セットを手配して協力工場に送る。
（３）メーカーのシステム又は協力工場は、ガラスの商品コードに基づいてガラスメーカーにガラスを発注する。
（４）協力工場は、組立指示書に基づいてメーカーから納入された枠・障子部品セットとガラスメーカーから納入されたガラスとでサッシを組立て、組立てたサッシを指定場所に発送する。
【発明の詳細な説明】
【技術分野】
【０００１】
本発明は、サッシの製造方法に関する。
【背景技術】
【０００２】
従来、サッシメーカーは代理店からサッシの注文を受けると、そのサッシに必要な枠や框等の部材を箱に梱包して代理店に発送し、代理店はそのサッシに必要なガラスをガラスメーカーや商社等より購入し、代理店がサッシメーカーから送られてきた部材とガラスメーカーから送られてきたガラスとで障子を組み立て、建築現場等の指定場所に運んでいた。このように、従来は代理店が障子を組み立てていたので、代理店に大きな負荷がかかっており、人手不足により組立て能力の低下も懸念され、代理店の負荷を軽減できるサッシの製造方法が求められた。
【発明の概要】
【発明が解決しようとする課題】
【０００３】
本発明は以上に述べた実情に鑑み、代理店の負荷を軽減できるサッシの製造方法の提供を目的とする。
【課題を解決するための手段】
【０００４】
上記の課題を達成するために請求項１記載の発明によるサッシの製造方法は、次の工程を有することを特徴とする。
（１）代理店は、所望のガラスが組み込まれた障子の完成品商品コードをメーカーのシステムに送信する。
（２）メーカーのシステムは、代理店より受信した完成品商品コードをガラスの商品コードと障子部品セットの商品コードに展開し、ガラスの商品コードと障子部品セットの商品コード及び障子の組立指示書を協力工場に送信すると共に、障子部品セットを手配して協力工場に送る。
（３）メーカーのシステム又は協力工場は、ガラスの商品コードに基づいてガラスメーカーにガラスを発注する。
（４）協力工場は、組立指示書に基づいてメーカーから納入された障子部品セットとガラスメーカーから納入されたガラスとで障子を組立て、組立てた障子を指定場所に発送する。
【０００５】
請求項２記載の発明によるサッシの製造方法は、次の工程を有することを特徴とする。
（１）代理店は、ガラスが組み込まれた障子を枠に納めたサッシのサッシ完成品商品コードをメーカーのシステムに送信する。
（２）メーカーのシステムは、代理店より受信したサッシ完成品商品コードをガラスの商品コードと枠・障子部品セットの商品コードに展開し、ガラスの商品コードと枠・障子部品セットの商品コード及びサッシの組立指示書を協力工場に送信すると共に、枠・障子部品セットを手配して協力工場に送る。
（３）メーカーのシステム又は協力工場は、ガラスの商品コードに基づいてガラスメーカーにガラスを発注する。
（４）協力工場は、組立指示書に基づいてメーカーから納入された枠・障子部品セットとガラスメーカーから納入されたガラスとでサッシを組立て、組立てたサッシを指定場所に発送する。
【発明の効果】
【０００６】
請求項１記載の発明によるサッシの製造方法によれば、協力工場が障子の組立てを行うので、代理店が障子の組立てを行う必要がなく、代理店にかかる負担を軽減できる。指定場所に近い協力工場を活用することで、納期を短縮でき、運送費を削減できる。
【０００７】
請求項２記載の発明によるサッシの製造方法によれば、協力工場がサッシの組立てを行うので、代理店がサッシの組立てを行う必要がなく、代理店にかかる負担を軽減できる。指定場所に近い協力工場を活用することで、納期を短縮でき、運送費を削減できる。
【図面の簡単な説明】
【０００８】
【図１】本発明のサッシの製造方法の第１実施形態におけるシステムの構成と、物及びデータの流れを模式的に示す図である。
【図２】本発明のサッシの製造方法の第１実施形態におけるデータの流れを示す図である。
【図３】第１実施形態の変形例を示す図である。
【図４】本発明のサッシの製造方法の第２実施形態におけるシステムの構成と、物及びデータの流れを模式的に示す図である。
【図５】本発明のサッシの製造方法の第２実施形態におけるデータの流れを示す図である。
【図６】ガラスメーカーに送付される発注書の例を示す図である。
【図７】代理店の見積発注システムの端末に表示される商品選択画面の一例を示す図であって、（ａ）は「障子枚数」を選択しているときの状態、（ｂ）は「窓区分」を選択しているときの状態を示す。
【図８】障子部品セットに含まれる部材及び部品リストの一例を示す。
【発明を実施するための形態】
【０００９】
以下、本発明の実施の形態を図面に基づいて説明する。図１，２は本発明のサッシの製造方法の第１実施形態を示している。本実施形態は、サッシが枠１６と、枠１６にけんどんで納められる障子１１とからなる引違いや片引きのスライディング系サッシの場合である。
【００１０】
代理店１は、サッシメーカー２のサッシを扱う代理店であって、全国各地に存在している。代理店１は、図１に示すように、サッシメーカー２に備えられているシステム１７を構成する受注システム１７ａとネットワークで接続した見積発注システム１８を有している。見積発注システム１８は、図７に示すように、パソコン等の端末の画面上で、工事種別、製品種、カタログシリーズ、窓種、納まり、レール仕様、障子枚数、窓区分、色、Ｗ寸法、Ｈ寸法等の絞り込み条件を順次選択することで、一つの商品に絞り込む機能を有している。図７（ａ）は、絞り込み条件の一つである「障子枚数」を選択するときの状態を示しており、画面左側に絞り込み条件の一覧２４が表示され、その一番下の「障子枚数」の欄は空欄となっており、画面右側に「障子枚数」として選択できる選択候補２５が表示されており、その選択候補２５のうちの何れか一つを選択すると、画面左側の「障子枚数」の欄に選択したものが表示され、すると図７（ｂ）に示すように、次の絞り込み条件である「窓区分」を選択する画面に切り替わる。そうして絞り込み条件の選択を順次行うことで、一つの商品に絞り込まれる。見積発注システム１８は、一つの商品に絞り込まれると、障子完成品商品コード５と枠１６の商品コード１９が特定され、その障子完成品商品コード５と枠の商品コード１９をサッシメーカー２の受注システム１７ａに送信することにより、オンラインで障子１１と枠１６をサッシメーカー２に発注する。また、見積発注システム１８は当該サッシの見積書２０を作成し、工務店・ハウスメーカーなどに送付する。
【００１１】
サッシメーカー２のシステム１７は、図１に示すように、受注システム１７ａ、生産指令システム１７ｂ及び外注発注システム１７ｃを有している。受注システム１７ａは、代理店１から受信した障子完成品商品コード５を、ガラスの商品コード６と障子部品セットの商品コード７に展開する。なお、ガラス８は、複層ガラスである。
生産指令システム１７ｂは、障子部品セットの商品コード７を部材（上框、下框、…）と部品（戸車、小口キャップ等の樹脂部品、ガスケット、ねじ等）に展開し、部材と部品の製造指令を出力する。製造された障子部品セット９の部材及び部品は、箱に梱包して協力工場へと送付される。図８は、障子部品セット９の箱に入っている部材及び部品のリストの一例を示している。なお、小口キャップや振れ止め等の樹脂部品、クレセント、戸車等の部品は、框に取付けられた状態で箱に梱包してある。
また、生産指令システム１７ｂは、枠の商品コード１９を部材（上枠、下枠、…）と部品（樹脂部品やねじ等）に展開し、工場に部材と部品の製造指令を出力する。枠１６の部材及び部品は、組立てない状態で箱２１に梱包し、代理店１へと送付される。代理店１は、枠１６を組み立てて、建築現場や代理店などの指定場所に送る。
外注発注システム１７ｃは、協力工場３を選択し、選択された協力工場３に対して障子完成品商品コード５とガラスの商品コード６と障子部品セットの商品コード７を送信し、障子１１の製造を依頼する。その際の情報には、図２に示すように、納期に関する情報が含まれる。また、外注発注システム１７ｃは、障子の組立指示書１０を協力工場３に送信する。組立指示書１０は、紙で出力して障子部品セット９の箱に同封してもよいし、電子データで協力工場３にオンラインで送信してもよい。
また、サッシメーカー２のシステム１７は、協力工場３に対して、障子完成品１１をいつまでに建築現場や代理店などの指定場所に送るように、配送指示を送信する。また、サッシメーカー２のシステム１７は、障子完成品商品コード５を、ガラスの商品コード６と障子部品セットの商品コード７に展開した後、ガラスの商品コード６に基づいてガラスメーカー４に対して、ガラス発注予告情報を送信する。このとき、協力工場３に近いガラスメーカー４を選択して、ガラス発注予告情報を送信する。ガラス８の発注は、後述するように協力工場３が行うが、予めガラス発注予告情報を送信しておくことで、ガラスメーカー４は協力工場３からのガラスの発注に備えてガラスを準備しておくことができるので、ガラス８の納期を縮める効果が期待できる。
【００１２】
協力工場３としては、ハウスメーカーの工場を利用する。ハウスメーカーの工場には、障子やサッシを組み立てるための設備や人員を有しており、都合が良いからである。協力工場３は、少なくとも東日本と西日本の２箇所に準備され、サッシメーカー２のシステム１７は障子１１を送る指定場所に近い方の協力工場３を選択し、当該協力工場３に対して障子１１を製造依頼する。
協力工場３は、サッシメーカー２の外注発注システム１７ｃとネットワークで接続された外注発注システム２２を備えており、その外注発注システム２２を通じて、サッシメーカー２から障子完成品商品コード５、ガラスの商品コード６及び障子部品セットの商品コード７を受け取る。
協力工場３は、近くのガラスメーカー（ガラス発注予告情報が送信されたガラスメーカー）４に対して、例えば図６に示すような発注書２３を送付することにより、ガラスの商品コード６に基づいてガラス８を発注する。協力工場３は、上記のとおりガラス８を発注したことをサッシメーカー２に知らせるようにしてもよい。そうすることで、サッシメーカー２が工程をチェックし、工程に遅れ等の問題がないか確認することができる。
その後、協力工場３は、組立指示書１０に基づいて、サッシメーカー２から納入された障子部品セット９とガラスメーカー４から納入されたガラス８とで障子１１を組立てる。組立てた障子１１は、倉庫に保管される。
さらに協力工場３は、サッシメーカー２からの配送指示に従い、物流会社を手配して障子１１を指定場所に送る。
【００１３】
以上に述べたように本サッシの製造方法によれば、協力工場３が障子１１の組立てを行うので、代理店１が障子１１の組立てを行う必要がなく、代理店１にかかる負担を軽減できる。指定場所に近い協力工場３を活用することで、納期を短縮でき、運送費を削減できる。
協力工場３としてハウスメーカーの工場を利用することで、サッシメーカー２は障子の組立工場を自前で用意する必要がなく、設備投資が抑えられ、ハウスメーカーからすれば工場を有効活用できるので、お互いにとって都合が良い。ハウスメーカーの工場は、障子１１を組み立てるための設備や人員をもともと有しているので、障子１１を正確に、短時間で組み立てることができる。また、ハウスメーカーは自社が建てる物件の窓用に日頃からガラスメーカーよりガラスを多く購入しており、購買力・折衝力が強いため、ハウスメーカーがガラス８を発注することで、ガラス８の購入価格を抑える効果が期待できる。
代理店１は、所望のサッシの枠の商品コード１９と、障子の完成品商品コード５をサッシメーカー２に送信し、サッシメーカー２のシステム１７は、枠の商品コード１９に基づいて枠１６を手配し、枠１６を指定場所に送ることで、枠１６と障子１１とからなるスライディング系の製造を効率よく行える。
サッシメーカー２のシステム１７は、障子完成品商品コード５をガラスの商品コード６と障子部品セットの商品コード７に展開した時点で、ガラスメーカー４に対してガラス発注予告情報を送信することで、ガラス８の納期を縮める効果が期待できる。
【００１４】
図３は、第１実施形態のサッシの製造方法の変形例を示している。この例では、サッシメーカー２のシステム１７が、障子完成品商品コード５をガラスの商品コード６と障子部品セットの商品コード７に展開した後、障子部品セット９を手配するのと同時に、ガラスメーカー４に対してガラス８を発注する。こうすることで、ガラス８を発注するタイミングが早まり、ガラス８の納期を短縮することができるので、納期が逼迫している場合に有効である。協力工場３が障子１１の組立てを行うので、代理店１が障子１１の組立てを行う必要がなく、代理店１にかかる負担を軽減できる点、指定場所に近い協力工場３を活用することで、納期を短縮でき、運送費を削減できる点は、図１の実施形態と同様である。
【００１５】
図４，５は本発明のサッシの製造方法の第２実施形態を示している。本実施形態は、ガラスが組み込まれた障子を枠に納めたサッシ１２であって、たてすべり出し窓や外倒し窓、嵌め殺し窓など、スライディング系以外のサッシ（否スライディング系サッシ）の場合である。
【００１６】
この場合、代理店１は、見積発注システム１８を通じて、ガラス８が組み込まれた障子を枠に納めたサッシ１２の完成品商品コード１３をサッシメーカー２の受注システム１７ａに送信する。
サッシメーカー２のシステム１７は、代理店１から受信したサッシ完成品商品コード１３をガラスの商品コード６と枠・障子部品セットの商品コード１４に展開し、枠障子部品セット１４の商品コードを部材（框、枠など）と部品（小口キャップ等の樹脂部品、障子を枠に取付けるための金具、ねじ等）に展開し、製造指令を出す。製造された枠・障子部品セット１５の部材及び部品は、箱に梱包して協力工場３へと送付される。また、サッシメーカー２のシステム１７は、サッシ完成品商品コード１３とガラスの商品コード６と枠・障子部品セットの商品コード１４及びサッシの組立指示書１０を、協力工場３に送信する。
協力工場３は、ガラスの商品コード６に基づいてガラスメーカー４にガラス８を発注し、組立指示書１０に基づいて、サッシメーカー２から納入された枠・障子部品セット１５とガラスメーカー４から納入されたガラス８とでサッシ１２を組立て、組立てたサッシ１２を指定場所に発送する。
第１実施形態のスライディング系サッシの場合は、協力工場３は障子１１のみを組み立てるのに対し、第２実施形態の否スライディング系サッシの場合は、協力工場３は枠と障子を含めたサッシ１２全体を組み立てる点が異なり、システムの構成や基本的な流れは共通するものである。
【００１７】
以上に述べたように本サッシの製造方法によれば、協力工場３がサッシ１２の組立てを行うので、代理店１がサッシ１２の組立てを行う必要がなく、代理店１にかかる負担を軽減できる。指定場所に近い協力工場３を活用することで、納期を短縮でき、運送費を削減できる。
協力工場３としてハウスメーカーの工場を利用することで、サッシメーカー２はサッシの組立工場を自前で用意する必要がなく、設備投資が抑えられ、ハウスメーカーからすれば工場を有効活用できるので、お互いにとって都合が良い。ハウスメーカーの工場は、サッシ１２を組み立てるための設備や人員をもともと有しているので、サッシ１２を正確に、短時間で組み立てることができる。また、ハウスメーカーがガラス８を発注することで、ガラス８の購入価格を抑える効果が期待できる。
サッシメーカー２のシステム１７は、サッシ完成品商品コード１３をガラスの商品コード６と枠・障子部品セットの商品コード１４に展開した時点で、ガラスメーカー４に対してガラス発注予告情報を送信することで、ガラス８の納期を縮める効果が期待できる。
【００１８】
上述した第２実施形態のサッシの製造方法においても、図３に示すように、ガラス８の発注をサッシメーカー２のシステム１７に行わせることもできる。この場合は、ガラス８を発注するタイミングが早まり、ガラス８の納期を短縮することができ、納期が逼迫している場合に有効である。
【００１９】
本発明は以上に述べた実施形態に限定されない。協力工場は、ハウスメーカー以外の工場、例えば物流会社の工場（物流センター）等であってもよい。メーカーのシステムの構成は、適宜変更することができる。
【符号の説明】
【００２０】
１  代理店
２  サッシメーカー（メーカー）
３  協力工場
４  ガラスメーカー
５  障子完成品商品コード
６  ガラスの商品コード
７  障子部品セットの商品コード
８  ガラス
９  障子部品セット
１０  組立指示書
１１  障子
１２  サッシ
１３  サッシ完成品商品コード
１４  枠・障子部品セットの商品コード
１５  枠・障子部品セット
【図１】
2020102078.tif 000003
【図２】
2020102078.tif 000004
【図３】
2020102078.tif 000005
【図４】
2020102078.tif 000006
【図５】
2020102078.tif 000007
【図６】
2020102078.tif 000008
【図７】
2020102078.tif 000009
【図８】
2020102078.tif 000010